(57)【要約】【課題】夜間や雨天等、減速帯を視認しにくい状況であっても、ドライバーが明瞭に視認可能な減速帯を提供する。【解決手段】走行する車両の速度の減速を促す、起伏部及び／又は段差部を備えた帯状の減速帯であって、前記起伏部及び／又は段差部に設けられ、外表面が透明の樹脂製皮膜で覆われた凹状の収納部に、外部から発光が視認可能なように装入配置された発光素子と、前記起伏部及び／又は段差部に埋込まれた圧電素子と、前記圧電素子により発電された電力を充電するバッテリーと、前記バッテリーにより前記発光素子を点灯させるコントローラーとを備えたことを特徴とする。【選択図】図３
0003148420.tif 000002
【実用新案登録請求の範囲】
【請求項１】
走行する車両の速度の減速を促す、起伏部及び／又は段差部を備えた帯状の減速帯であって、
前記起伏部及び／又は段差部に設けられ、外表面が透明の樹脂製皮膜で覆われた凹状の収納部に、外部から発光が視認可能なように装入配置された発光素子と、
前記起伏部及び／又は段差部に埋込まれた圧電素子と、
前記圧電素子により発電された電力を充電するバッテリーと、
前記バッテリーにより前記発光素子を点灯させるコントローラーと
を備えたことを特徴とする減速帯。
【請求項２】
外表面が透明の樹脂製皮膜で覆われた凹状の収納部に、太陽電池パネルが装入配置され、前記太陽電池パネルにより、前記バッテリーを充電することを特徴とする請求項１に記載の減速帯。
【請求項３】
前記コントローラーが、前記発光素子を夜間に発光させる制御回路を備えたことを特徴とする請求項１又は２に記載の減速帯。
【請求項４】
一部又は全部が、再生ゴムにより形成されていることを特徴とする請求項１から３のいずれかに記載の減速帯。
【請求項５】
前記凹状の収納部には赤色及び／又は黄色のＬＥＤが装入配置されていることを特徴とする請求項１から４のいずれかに記載の減速帯。
【請求項６】
前記圧電素子が、圧電フィルムであることを特徴とする請求項１から５のいずれかに記載の減速帯。
【考案の詳細な説明】
【技術分野】
【０００１】
本考案は、道路や駐車場の入り口など、車両が走行する場所に設置し、車両の走行速度の減速を促す減速帯、及び減速帯の視認性を高めることにより、車両速度の減速を促す減速帯に関する。
【背景技術】
【０００２】
通学路などを迂回路として利用する車両から歩行者の安全を確保するためには、車両の走行速度を強制的に落とさせることが好ましい。このために、道路の一部を道路方向に沿って、例えば台形断面状に盛り上げた、所謂、車両減速用バンプ（以下、減速帯という）を設ける場合がある。また、商業施設敷地内や駐車場における車両の減速を促すため、起伏あるいは段差を備えた帯状の減速帯が走行路に設置されている。
【０００３】
車両運転手は進行方向前方に形成された減速帯を視認すると、減速帯への乗り上げによって生じる不快感を解消するため走行速度を落とすように運転する。また、減速帯に乗り上げると、車両には上向きに押し上げる力が作用するために、走行速度は強制的に低下させられる。減速帯による車両の走行速度の減速は、速度超過による交通事故を未然に防止する効果がある。
【０００４】
減速帯には、車両が走行する道路に合わせて敷設するものがいろいろと提案されている。例えば、特許文献１では、細長な台形状のダクタイル鋳鉄鋳物製の減速帯が提案されている。また、特許文献２では、道路に合わせて組み合わせ敷設できる分割ブロック体に形成する減速帯が提案されている。
【０００５】
また、特許文献３には、減速帯を両側が平坦面で中央を円弧またはサイン曲線カーブまたは台形に膨出させた膨出部とする細長いブロック体に形成し、その減速帯をやや硬質のゴムまたは樹脂から成る弾性体で形成したものが開示されている。
【０００６】
これらの減速帯では、ドライバーからの視認性を向上させるために、減速帯が黄色に塗られている。しかし、夜間や雨天などの場合、たとえ黄色に塗られた減速帯であっても、ドライバーにとって、減速帯の視認性は大きく落ちることになる。
【特許文献１】特開平１１−１１７２０９号公報
【特許文献２】特開平１１−２４１３１７号公報
【特許文献３】特開２００３−４９４１４号公報
【考案の開示】
【考案が解決しようとする課題】
【０００７】
減速帯が設置されているにもかかわらず、ドライバーが減速帯を視認できず、走行速度を減速しないまま減速帯に乗り上げると、ドライバーは、それにより強い衝撃を受けることになる。また、減速帯に乗り上げたときの衝撃は、周辺の工場等に設置されている精密機械に振動を与える。また、それにより発生する衝撃音は騒音となって住環境に悪い影響を与える。
【０００８】
そこで、本考案の課題は、夜間や雨天等、減速帯を視認しにくい状況であっても、ドライバーが明瞭に視認可能な減速帯を提供することにある。また、車両のタイヤに与える衝撃が少なく、かつ環境にやさしい減速帯を提供することにある。
【課題を解決するための手段】
【０００９】
上記課題を解決するために、請求項１に記載の減速帯は、走行する車両の速度の減速を促す、起伏部及び／又は段差部を備えた帯状の減速帯であって、前記起伏部及び／又は段差部に設けられ、外表面が透明の樹脂製皮膜で覆われた凹状の収納部に、外部から発光が視認可能なように装入配置された発光素子と、前記起伏部及び／又は段差部に埋込まれた圧電素子と、前記圧電素子により発電された電力を充電するバッテリーと、前記バッテリーにより前記発光素子を点灯させるコントローラーとを備えたことを特徴とする。
【００１０】
請求項２に記載の減速帯は、請求項１に記載の減速帯であって、外表面が透明の樹脂製皮膜で覆われた凹状の収納部に、太陽電池パネルが装入配置され、前記太陽電池パネルにより、前記バッテリーを充電することを特徴とする。
【００１１】
請求項３に記載の減速帯は、請求項１又は２に記載の減速帯であって、前記コントローラーが、前記発光素子を夜間に発光させる制御回路を備えたことを特徴とする。
【００１２】
請求項４に記載の減速帯は、請求項１から３のいずれかに記載の減速帯であって、一部又は全部が、再生ゴムにより形成されていることを特徴とする。
【００１３】
請求項５に記載の減速帯は、請求項１から４のいずれかに記載の減速帯であって、前記凹状の収納部には赤色及び／又は黄色のＬＥＤが装入配置されていることを特徴とする。
【００１４】
請求項６に記載の減速帯は、請求項１から５のいずれかに記載の減速帯であって、前記圧電素子が、圧電フィルムであることを特徴とする。
【考案の効果】
【００１５】
本考案によれば、夜間や雨天など、減速帯を視認しにくい状況であっても、ドライバーが明瞭に目視可能な減速帯を提供することができる。また、車両が減速帯に乗り上げた際に、タイヤが受ける衝撃が少なく、かつ環境にやさしい減速帯を提供することができる。
【考案を実施するための最良の形態】
【００１６】
以下、図面を参照して、本考案の減速帯の一実施形態である実施例について説明する。
図１は、本考案の一実施例である減速帯１０の斜視図を示したものである。本考案の減速帯の材料として古タイヤの再生ゴムを用いることは好適である。
【００１７】
再生する古タイヤの再生ゴムの硬度を５０度以上７０度以下とすることは好ましい。再生ゴムの硬度を５０度以上７０度以下とすることにより、車両が減速帯に乗り上げたときの衝撃を吸収することができ、また、その際の騒音を抑制することができる。一方、再生ゴムの硬度が５０度未満になると摩耗が激しくなり、耐久性に問題が出るためである。
【００１８】
また、再生ゴムの硬度が５０度から７０度の範囲にあれば、歩行者が転倒等により減速帯に衝突した場合でも、衝撃を十分に吸収することができ、負傷を最小限に食い止めることができる。
【００１９】
この実施例で示す減速帯は、図１に示すように上部が平らであり、その両サイドが傾斜する立方体の構造となっている。この減速帯１０には、その内部にフィルム状の圧電素子２０が埋込まれている。車両が減速帯１０を通過すると、フィルム状の圧電素子２０が歪み発電する。
【００２０】
圧電素子２０はフィルム状のものが好ましいが、本考案はこれに限定されるものではない。圧電素子２０は、例えば減速帯の外表面から一定の位置に埋込めば良い。もちろん、圧電素子２０の上を車両が通行しても、損傷や劣化が進まない材料の場合には、減速帯の外表面に直接設けるようにしても良い。
【００２１】
図１に示す減速帯の傾斜部には、発光部１４が設けられ、発光部１４には発光素子１４３が凹部１４２内に装着される（図４に示す）構造となっている。
【００２２】
本実施例では、減速帯１０の材料として古タイヤの再生ゴムを用いている。再生ゴムの硬度を５０度以上７０度以下とすることにより、凹部を減速帯を製造した後で彫り込むことが容易となる。もちろん、例えば金型プレスによる製造の場合には、金型に凹部を形成することで、減速帯の製造時に凹部１４２を同時に形成するようにしても良い。
【００２３】
本実施例では、減速帯１０の材料として古タイヤの再生ゴムを用いたが、本考案はこれに限定されるものではなく、種々の変形が可能である。例えば、材料として天然ゴム、合成ゴム、その他これに類する材料が含まれることはいうまでもない。
【００２４】
図２は、４種類の減速帯１０の全体図を示したものである。図２（ａ）は、図１に示す減速帯１０の全体図である。図２（ｂ）は、大型タイプの減速帯１０である。車両の走行場所が広い場合には、このような大型の減速帯１０を用いることが好適である。また、このような大型の減速帯１０は、上面の平らな部分に発光部１４を設けても良い。これにより、その視認性が向上する。
【００２５】
図２（ｃ）は、図２（ａ）に示す減速帯の変形例であり、図２（ａ）と異なり全体が蒲鉾形状となっている。この実施例における減速帯１０は、発光部１４を湾曲部の両側に所定の距離、交互に離して設けてある。
【００２６】
図２（ｄ）は、図２（ｃ）の蒲鉾形状の減速帯１０の変形例である。車両の走行場所の広さによっては、このような中型の減速帯１０を用いれば良い。この減速帯１０では、発光部１４を湾曲部の両面に設け、視認性の向上を図っている。
【００２７】
図３は、蒲鉾形状の減速帯１０の平面、及び断面を示したものである。減速帯１０は、減速帯両端部１１、１３、及び減速帯中央部１２とから構成されている。減速帯両端部１１、１３、及び減速帯中央部１２には、それぞれ発光部１４が２個又は４個設けられている。また、上面に近い内部には、フィルム状の圧電素子２０が埋込まれている。
【００２８】
減速帯１０の内部は空洞となっており、そこには圧電素子２０により発電された電力を充電するバッテリーが設けられている（図４に示す）。また、減速帯１０の内部が空洞となっているため、車両が減速帯に乗り上げたときに、空洞部と共に全体が変形してタイヤの進行に対して抵抗する力を与え、車両の速度を減速させる。
【００２９】
この減速帯１０を、上面からアンカーピンを打ち込み、地面に固定することができるように構成することは好適である。減速帯１０を設置する位置を決め、上面からドリル等により、減速帯１０の底面まで穴を開け、そこにアンカーピンを打ち込み、地面に固定すれば良い。
【００３０】
図４は、減速帯１０の断面図である。図４（ａ）では、凹部１４２に発光素子１４３が設けられている。また、フィルム状の圧電素子２０が減速帯１０の内部に固着されている。
本実施例においては、フィルム状の圧電素子２０は、減速帯１０の上面１５の裏面側にに固着されているが、これに代えて、上面１５の内部に埋込んでも良い。
【００３１】
圧電素子２０は、減速帯を車両が通過するときの重量により変形、屈曲し電力を発生する。発生した電力は電力線によりバッテリー１４４に送られ充電される。バッテリー１４４は発光素子１４３と接続されている。また、発光素子１４３、及びバッテリー１４４はコントローラー１４９と接続されている。コントローラー１４９は、発光素子１４３の発光や点滅を制御する。
【００３２】
図４（ｂ）に示す減速帯１０は、図４（ａ）に示す減速帯１０の構造に加え、太陽電池パネル収納部１４５に太陽電池パネル１４６が設けられている。フィルム状の圧電素子２０が発生する電力だけでは発光素子１４３に供給する電力が十分に賄えない場合には、太陽電池パネル１４６を減速帯１０に設けることにより、そこから発生する電力をバッテリー１４４に充電させ、発光素子１４３へ供給する電力を補うことができる。
【００３３】
太陽電池パネル１４６を設置した後、太陽電池パネル収納部１４５を、例えば透明の樹脂により覆えば、太陽電池パネル１４６を外部衝撃による損傷から守ることができる。
【００３４】
図５は、この考案の実施例に係るフィルム状の圧電素子２０の減速帯１０への取り付け状態を示した断面図である。フィルム状の圧電素子２０は、車両が減速帯２０に乗り上げることにより歪み、その歪みと車両が通過する際の振動により電圧を発生する。圧電素子２０の材料としては、例えばＰＺＴ（チタン酸ジルコン酸鉛）、ＰＬＺＴ（ジルコン酸チタン酸ランタン鉛）、ＰＭＮ（マグネシウムニオブ酸鉛）、ＰＶＤＦ（ポリフッ化ビニリデン）などが使用される。
【００３５】
かかるフィルム状の圧電素子２０の固定は、例えばエポキシ系接着剤などをフィルム状の圧電素子２０の片面に塗布することによって、減速帯１０の内部に固着すれば良い。
【００３６】
図６は、本実施例に係る発光素子１４３を点灯させる電気制御回路を示した図である。圧電素子２０が発生する電力は、整流／定電圧／逆流阻止回路を備えたコントローラー１４９を介してバッテリー１４４に充電される。フィルム状の圧電素子２０により発生した電力は、コントローラー１４９により、整流及び定電圧化された後、バッテリー１４４に送られる。コントローラー１４９には太陽電池パネル１４６も接続し、太陽電池パネル１４６により発生した電力もコントローラー１４９を介してバッテリー１４４に充電される。コントローラー１４９は、逆流阻止回路を備え、フィルム状の圧電素子２０及び太陽電池パネル１４６に電力が逆流するのを防止している。発光素子１４３の点灯制御は、コントローラー１４９により制御されるように構成されている。
【図面の簡単な説明】
【００３７】
【図１】本考案の一実施例である減速帯の斜視図
【図２】４種類の減速帯の全体図
【図３】蒲鉾形状の減速帯の平面、及び断面を示した図
【図４】減速帯の断面図
【図５】フィルム状の圧電素子の減速帯への取り付け状態を示した断面図
【図６】発光素子を点灯させる電気制御回路を示した図
【符号の説明】
【００３８】
１０…減速帯
１４…発光部
２０…圧電素子
１４２…凹部
１４３…発光素子
１４４…バッテリー
１４５…太陽電池パネル収納部
１４６…太陽電池パネル
１４９…コントローラー
【図１】
0003148420.tif 000003
【図２】
0003148420.tif 000004
【図３】
0003148420.tif 000005
【図４】
0003148420.tif 000006
【図５】
0003148420.tif 000007
【図６】
0003148420.tif 000008